(57)【要約】【課題】  ハンズフリーシステムを構成する移動通信端末装置が自動着呼し応答メッセージ返信中に、ハンズフリー装置側の着呼操作を受けてハンズフリー通話を開始できるようにする。【解決手段】  移動通信網から着信の通知を受けた移動通信端末装置の制御部は、移動通信端末装置とハンズフリー装置との間で着信音を通信するための音声リンクを確立した（ステップＳ１１ｅ）場合、その音声リンクを切断し（ステップＳ１１ｈ）た後、自動着呼し（ステップＳ１１ｉ）て発信元へ応答メッセージを送信する（ステップＳ１１ｊ）。応答メッセージの送信中にハンズフリー装置から音声リンク確立の要求があった場合（ステップＳ１１ｋの「あり」）、その音声リンクを確立して（ステップＳ１１ｍ）移動通信端末装置とハンズフリー装置との間の通話音声の送受信に用い、ハンズフリー装置と発信元の通信装置との間のハンズフリー通話を行わせる（ステップＳ１１ｎ）。【選択図】  図４
2005303435.tif 000002
【特許請求の範囲】
【請求項１】
移動通信網に接続された通信装置との間で通話を行う移動通信端末装置とハンズフリー
装置とが近距離無線回線を介して接続されたハンズフリーシステムであって、
前記ハンズフリー装置は、
前記移動通信網から前記移動通信端末装置への着信の通知を、前記近距離無線回線を介し
て受信する手段と、
前記近距離無線回線上の音声リンクを前記移動通信端末装置との間に確立する第１のリン
ク確立手段と、
第１のマイクロフォンと、
第１のスピーカと、
前記第１のマイクロフォンから入力された第１の音声信号を確立された前記音声リンクを
介して前記移動通信端末装置に送信する手段と、
前記移動通信端末装置から確立された前記音声リンクを介して送信された第２の音声信号
を受信すると共に、前記受信した第２の音声信号により前記第１のスピーカを駆動する手
段とを有し、
前記移動通信端末装置は、
前記移動通信網から着信の通知を受信する着信受信手段と、
前記受信された着信の通知を前記近距離無線回線を介して前記ハンズフリー装置に送信す
る手段と、
前記近距離無線回線上の前記音声リンクを前記ハンズフリー装置との間に確立する第２の
リンク確立手段と、
第２のマイクロフォンと、
第２のスピーカと、
前記通信装置との間で前記移動通信網を介して第３の音声信号の送受信を行う第１の送受
信手段と、
確立された前記音声リンクを介して前記ハンズフリー装置との間で前記第１及び第２の音
声信号の送受信を行う第２の送受信手段と、
前記第１の送受信手段が前記移動通信網から受信した前記第３の音声信号により前記第２
のスピーカを駆動し、かつ、前記第２のマイクロフォンから入力された音声信号を前記第
１の送受信手段から前記第３の音声信号として送信する通常通話手段と、
前記第１の送受信手段が前記移動通信網から受信した前記第３の音声信号を、前記第２の
送受信手段から確立された前記音声リンクを介して前記ハンズフリー装置に対して前記第
２の音声信号として送信し、かつ、前記第２の送受信手段が確立された前記音声リンクを
介して前記ハンズフリー装置から受信した前記第１の音声信号を、前記第１の送受信手段
から前記第３の音声信号として送信するハンズフリー通話手段と、
前記着信受信手段が着信の通知を受信したとき自動着呼すると共に、応答メッセージを前
記第３の音声信号として前記第１の送受信手段から送信し、かつ、前記応答メッセージの
送信中に前記第１及び第２のリンク確立手段によって前記音声リンクが確立された場合、
前記ハンズフリー装置及び前記ハンズフリー通話手段を用いてハンズフリー通話を行える
ようにする着呼制御手段とを
有することを特徴とするハンズフリーシステム。
【請求項２】
移動通信網に接続された通信装置との間で通話を行う移動通信端末装置とハンズフリー
装置とが近距離無線回線を介して接続されたハンズフリーシステムであって、
前記ハンズフリー装置は、
前記移動通信網から前記移動通信端末装置への着信の通知を、前記近距離無線回線を介し
て受信する手段と、
前記近距離無線回線上の音声リンクを前記移動通信端末装置との間に確立する第１のリン
ク確立手段と、
前記着信の通知が受信されたとき、前記移動通信端末装置から確立された前記音声リンク
を介して着信音を受信する手段と、
第１のマイクロフォンと、
第１のスピーカと、
前記第１のマイクロフォンから入力された第１の音声信号を確立された前記音声リンクを
介して前記移動通信端末装置に送信する手段と、
前記移動通信端末装置から確立された前記音声リンクを介して送信された第２の音声信号
を受信すると共に、前記受信した第２の音声信号又は前記受信された着信音により前記第
１のスピーカを駆動する手段とを有し、
前記移動通信端末装置は、
前記移動通信網から着信の通知を受信する着信受信手段と、
前記受信された着信の通知を前記近距離無線回線を介して前記ハンズフリー装置に送信す
る手段と、
前記近距離無線回線上の前記音声リンクを前記ハンズフリー装置との間に確立し、又は切
断する第２のリンク確立手段と、
第２のマイクロフォンと、
第２のスピーカと、
前記通信装置との間で前記移動通信網を介して第３の音声信号の送受信を行う第１の送受
信手段と、
確立された前記音声リンクを介して前記ハンズフリー装置との間で前記第１及び第２の音
声信号の送受信を行う第２の送受信手段と、
前記第１の送受信手段が前記移動通信網から受信した前記第３の音声信号により前記第２
のスピーカを駆動し、かつ、前記第２のマイクロフォンから入力された音声信号を前記第
１の送受信手段から前記第３の音声信号として送信する通常通話手段と、
前記第１の送受信手段が前記移動通信網から受信した前記第３の音声信号を、前記第２の
送受信手段から確立された前記音声リンクを介して前記ハンズフリー装置に対して前記第
２の音声信号として送信し、かつ、前記第２の送受信手段が確立された前記音声リンクを
介して前記ハンズフリー装置から受信した前記第１の音声信号を、前記第１の送受信手段
から前記第３の音声信号として送信するハンズフリー通話手段と、
前記着信受信手段が着信の通知を受信したとき、確立された前記音声リンクを介して前記
ハンズフリー装置に対して前記着信音を送信し、さらに前記第２のリンク確立手段に前記
音声リンクを切断させた後自動着呼すると共に、応答メッセージを前記第３の音声信号と
して前記第１の送受信手段から送信し、かつ、前記応答メッセージの送信中に前記第１及
び第２のリンク確立手段によって前記音声リンクが確立された場合、前記ハンズフリー装
置及び前記ハンズフリー通話手段を用いてハンズフリー通話を行えるようにする着呼制御
手段とを
有することを特徴とするハンズフリーシステム。
【請求項３】
移動通信網に接続された通信装置との間で通話を行い、かつ、ハンズフリー装置と近距
離無線回線を介して接続された移動通信端末装置であって、
前記移動通信網から着信の通知を受信する着信受信手段と、
前記受信された着信の通知を前記ハンズフリー装置に送信する手段と、
前記近距離無線回線上の前記音声リンクを前記ハンズフリー装置との間に確立するリンク
確立手段と、
マイクロフォンと、
スピーカと、
前記通信装置との間で前記移動通信網を介して音声信号の送受信を行う第１の送受信手段
と、
確立された前記音声リンクを介して前記ハンズフリー装置との間で音声信号の送受信を行
う第２の送受信手段と、
前記第１の送受信手段が前記移動通信網から受信した音声信号により前記スピーカを駆動
し、かつ、前記マイクロフォンから入力された音声信号を前記第１の送受信手段から送信
する通常通話手段と、
前記第１の送受信手段が前記移動通信網から受信した音声信号を、前記第２の送受信手段
から確立された前記音声リンクを介して前記ハンズフリー装置に対して送信し、かつ、前
記第２の送受信手段が確立された前記音声リンクを介して前記ハンズフリー装置から受信
した音声信号を、前記第１の送受信手段から送信するハンズフリー通話手段と、
前記着信受信手段が着信の通知を受信したとき自動着呼すると共に、応答メッセージを前
記第１の送受信手段から送信し、かつ、前記応答メッセージの送信中に前記リンク確立手
段によって前記音声リンクが確立された場合、前記ハンズフリー装置及び前記ハンズフリ
ー通話手段を用いてハンズフリー通話を行えるようにする着呼制御手段とを
有することを特徴とする移動通信端末装置。
【請求項４】
移動通信網に接続された通信装置との間で通話を行い、かつ、ハンズフリー装置と近距
離無線回線を介して接続された移動通信端末装置であって、
前記移動通信網から着信の通知を受信する着信受信手段と、
前記受信された着信の通知を前記ハンズフリー装置に送信する手段と、
前記近距離無線回線上の前記音声リンクを前記ハンズフリー装置との間に確立し、又は切
断するリンク確立手段と、
マイクロフォンと、
スピーカと、
前記通信装置との間で前記移動通信網を介して音声信号の送受信を行う第１の送受信手段
と、
確立された前記音声リンクを介して前記ハンズフリー装置との間で音声信号の送受信を行
う第２の送受信手段と、
前記第１の送受信手段が前記移動通信網から受信した音声信号により前記スピーカを駆動
し、かつ、前記マイクロフォンから入力された音声信号を前記第１の送受信手段から送信
する通常通話手段と、
前記第１の送受信手段が前記移動通信網から受信した音声信号を、前記第２の送受信手段
から確立された前記音声リンクを介して前記ハンズフリー装置に対して送信し、かつ、前
記第２の送受信手段が確立された前記音声リンクを介して前記ハンズフリー装置から受信
した音声信号を、前記第１の送受信手段から送信するハンズフリー通話手段と、
前記着信受信手段が着信の通知を受信したとき、確立された前記音声リンクを介して前記
ハンズフリー装置に対して前記着信音を送信し、さらに前記第２のリンク確立手段に前記
音声リンクを切断させた後自動着呼すると共に、応答メッセージを前記第１の送受信手段
から送信し、かつ、前記応答メッセージの送信中に前記リンク確立手段によって前記音声
リンクが確立された場合、前記ハンズフリー装置及び前記ハンズフリー通話手段を用いて
ハンズフリー通話を行えるようにする着呼制御手段とを
有することを特徴とする移動通信端末装置。
【請求項５】
移動通信網に接続された通信装置との間で通話を行い、かつ、ハンズフリー装置と近距
離無線回線を介して接続された移動通信端末装置のハンズフリー制御方法であって、
前記移動通信網から受信した着信の通知を前記ハンズフリー装置に送信し、
前記着信の通知を受信したとき自動着呼し、
前記通信装置に対して前記移動通信網を介して応答メッセージを送信し、
前記応答メッセージの送信中に前記近距離無線回線上の音声リンクが前記ハンズフリー装
置との間に確立された場合、前記ハンズフリー装置を用いてハンズフリー通話を行えるよ
うにする
ことを特徴とするハンズフリー制御方法。
【請求項６】
移動通信網に接続された通信装置との間で通話を行い、かつ、ハンズフリー装置と近距
離無線回線を介して接続された移動通信端末装置のハンズフリー制御方法であって、
前記移動通信網から受信した着信の通知を受信し、
前記近距離無線回線上の音声リンクを前記ハンズフリー装置との間に確立し、
確立された前記音声リンクを介して前記ハンズフリー装置に対して前記着信音を送信し、
確立された前記音声リンクを切断し、
前記着信に対して自動着呼し、
前記通信装置に対して前記移動通信網を介して応答メッセージを送信し、
前記応答メッセージの送信中に前記近距離無線回線上の音声リンクが前記ハンズフリー装
置との間に確立された場合、前記ハンズフリー装置を用いてハンズフリー通話を行えるよ
うにする
ことを特徴とするハンズフリー制御方法。
【発明の詳細な説明】
【技術分野】
【０００１】
本発明は、ハンズフリーシステム、移動通信端末装置及びハンズフリー制御方法に係り
、特に移動通信端末装置が自動着呼機能を有する場合のハンズフリー制御方法並びに該方
法を用いるハンズフリーシステム及び移動通信端末装置に関する。
【背景技術】
【０００２】
自動車の運転者が運転中に移動通信端末装置を手に持って通話する（これを、通常通話
という。）ことは、交通安全の観点から問題が指摘されている。そこで、少なくとも、マ
イクロフォンとスピーカと少数のキースイッチとから構成されたハンズフリー装置を車内
に設置し、運転者は、そのハンズフリー装置を用いて移動通信端末装置を手に持たずに通
話ができるようにする（これを、ハンズフリー通話という。）処理が知られている。ここ
で、移動通信端末装置とハンズフリー装置との間は、例えば、ブルートゥース（登録商標
）方式による近距離無線通信回線を用いて接続することが知られている。
【０００３】
ところで、多くの移動通信端末装置は自動着呼機能を備えている。その種の移動通信端
末装置に着信があったが、何らかの理由で一定時間以上にわたって着呼操作が行われない
場合、移動通信端末装置が自動着呼し、所定の音声からなる応答メッセージを発信元の通
信装置に返信する。受信音声の録音機能を有する移動通信端末装置であれば、応答メッセ
ージの送信に続いて発信元の伝言を受信し録音することができる。
【０００４】
一方、応答メッセージの送信中に上記の理由が解消して移動通信端末装置における着呼
操作が行われると、移動通信端末装置と発信元の通信装置との間で通常通話が開始される
。しかし、ハンズフリー通話可能に設定された状態において、ハンズフリー装置側で同様
に応答メッセージ送信中の着呼操作を行った場合にハンズフリー通話が開始されるように
するための方法は定められていない。
【０００５】
自動車の走行中における移動通信端末装置への着信及び通話に伴う危険を緩和すべく、
自動車の走行中に着信した場合は呼び出し音を停止し、音声による自動応答メッセージを
流した後に相手の伝言を記録するという車載用携帯電話システムが開発されている（例え
ば、特許文献１参照。）。この特許文献１に開示された従来技術は、自動車のエンジン制
御ユニット等から車速情報等を得て自動車が走行中か停止中かを判別し、前者の場合に移
動通信端末装置に着信があったときは「走行中である」旨の応答メッセージを返信すると
共に相手の伝言を録音するというものである。
【０００６】
また、「走行中である」という以上の詳細な情報を応答メッセージに含める発明もなさ
れている（例えば、特許文献２参照。）。この特許文献２に開示された従来技術は、着信
時の自動車の状況を表す情報を含む応答メッセージを作成して相手に返信し、繰り返し呼
び出されることがないようにするというものである。
【０００７】
しかし、これらの従来技術によっても、応答メッセージ送信中の着呼操作を受けてハン
ズフリー通話を開始させることはできないという問題があった。
【特許文献１】特開平１１−４１９０号公報（第２乃至４ページ、図１）
【特許文献２】特開２００３−５１８９５号公報（第２、４、５ページ、図２）
【発明の開示】
【発明が解決しようとする課題】
【０００８】
上述した従来技術によっては、移動通信端末装置が自動着呼して発信元の通信装置に対
して応答メッセージを送信中に、ハンズフリー装置が着呼処理を行うことはできないとい
う問題点があった。
【０００９】
本発明は、上記問題を解決するためになされたもので、移動通信端末装置が自動着呼し
て発信元の通信装置に対して応答メッセージを送信中に、ハンズフリー装置が着呼処理を
行うことができるハンズフリーシステム、移動通信端末装置及びハンズフリー制御方法を
提供することを目的とする。
【課題を解決するための手段】
【００１０】
上記目的を達成するために、本発明のハンズフリーシステムは、移動通信網に接続され
た通信装置との間で通話を行う移動通信端末装置とハンズフリー装置とが近距離無線回線
を介して接続されたハンズフリーシステムであって、前記ハンズフリー装置は、前記移動
通信網から前記移動通信端末装置への着信の通知を、前記近距離無線回線を介して受信す
る手段と、前記近距離無線回線上の音声リンクを前記移動通信端末装置との間に確立する
第１のリンク確立手段と、第１のマイクロフォンと、第１のスピーカと、前記第１のマイ
クロフォンから入力された第１の音声信号を確立された前記音声リンクを介して前記移動
通信端末装置に送信する手段と、前記移動通信端末装置から確立された前記音声リンクを
介して送信された第２の音声信号を受信すると共に、前記受信した第２の音声信号により
前記第１のスピーカを駆動する手段とを有し、前記移動通信端末装置は、前記移動通信網
から着信の通知を受信する着信受信手段と、前記受信された着信の通知を前記近距離無線
回線を介して前記ハンズフリー装置に送信する手段と、前記近距離無線回線上の前記音声
リンクを前記ハンズフリー装置との間に確立する第２のリンク確立手段と、第２のマイク
ロフォンと、第２のスピーカと、前記通信装置との間で前記移動通信網を介して第３の音
声信号の送受信を行う第１の送受信手段と、確立された前記音声リンクを介して前記ハン
ズフリー装置との間で前記第１及び第２の音声信号の送受信を行う第２の送受信手段と、
前記第１の送受信手段が前記移動通信網から受信した前記第３の音声信号により前記第２
のスピーカを駆動し、かつ、前記第２のマイクロフォンから入力された音声信号を前記第
１の送受信手段から前記第３の音声信号として送信する通常通話手段と、前記第１の送受
信手段が前記移動通信網から受信した前記第３の音声信号を、前記第２の送受信手段から
確立された前記音声リンクを介して前記ハンズフリー装置に対して前記第２の音声信号と
して送信し、かつ、前記第２の送受信手段が確立された前記音声リンクを介して前記ハン
ズフリー装置から受信した前記第１の音声信号を、前記第１の送受信手段から前記第３の
音声信号として送信するハンズフリー通話手段と、前記着信受信手段が着信の通知を受信
したとき自動着呼すると共に、応答メッセージを前記第３の音声信号として前記第１の送
受信手段から送信し、かつ、前記応答メッセージの送信中に前記第１及び第２のリンク確
立手段によって前記音声リンクが確立された場合、前記ハンズフリー装置及び前記ハンズ
フリー通話手段を用いてハンズフリー通話を行えるようにする着呼制御手段とを有するこ
とを特徴とする。
【発明の効果】
【００１１】
本発明によれば、移動通信端末装置が自動着呼し、発信元の通信装置に対する応答メッ
セージの送信中に着呼操作がされたとき、ハンズフリー装置が着呼処理を行ってスムーズ
にハンズフリー通話を開始させることができる。
【発明を実施するための最良の形態】
【００１２】
以下に、本発明の実施形態を図１乃至図６を参照して説明する。図１は、本発明の実施
形態に係るハンズフリーシステムの構成を示すブロック図である。
【００１３】
このハンズフリーシステムは、移動通信網に接続された通信装置（図示せず。）との間
で通話を行えるように、本発明の実施形態に係るハンズフリー制御方法が適用される。こ
のハンズフリーシステムは、本発明の実施形態に係る移動通信端末装置１、移動通信端末
装置１を経由して上記通話を行うハンズフリー装置２並びに移動通信端末装置１及びハン
ズフリー装置２の間を接続する近距離無線通信網３からなる。
【００１４】
図２は、移動通信端末装置１の構成を示すブロック図である。この移動通信端末装置１
は、装置全体の制御を行う制御部１１と、移動通信網に属する基地局（図示せず。）との
間で電波の送受信を行うアンテナ１２ａと、通信部１２ｂと、送受信部１３と、スピーカ
１４ａと、マイクロフォン１４ｂと、通話部１４ｃと、利用者からの操作指示を入力する
入力部１５と、利用者へ情報の提示を行う表示部１６と、近距離無線通信の電波の送受信
を行うアンテナ１７ａと、近距離無線通信部１７ｂと、近距離無線送受信部１８と、音声
データ記憶部１９とを備えている。
【００１５】
音声データ記憶部１９には、デジタル音声信号である着信音１９ａと、デジタル音声信
号である応答メッセージ１９ｂとが記憶される。
【００１６】
図３は、ハンズフリー装置２の構成を示すブロック図である。このハンズフリー装置２
は、装置全体の制御を行う制御部２１と、近距離無線通信の電波の送受信を行うアンテナ
２２ａと、近距離無線通信部２２ｂと、近距離無線送受信部２３と、スピーカ２４ａと、
マイクロフォン２４ｂと、通話部２４ｃと、利用者からの操作指示を入力する入力部２５
とを備えている。
【００１７】
まず、移動通信端末装置１の各部の動作を、図２を参照して説明する。通信部１２ｂは
、アンテナ１２ａを介して受信した高周波信号を送受信部１３に送信する。また、送受信
部１３から出力される高周波信号をアンテナ１２ａに送信する。
【００１８】
送受信部１３は、通信部１２ｂからの高周波信号を増幅、周波数変換及び復調し、それ
によって得たデジタル音声信号を通話部１４ｃまたは近距離無線送受信部１８に送信し、
また、制御信号を制御部１１に送信する。更には、応答メッセージ１９ｂ、通話部１４ｃ
または近距離無線送受信部１８から出力されるデジタル音声信号、及び制御部１１から出
力される制御信号を変調、周波数変換及び増幅し、高周波信号を得て、それを通信部１２
ｂに送信する。
【００１９】
通話部１４ｃは、送受信部１３から出力されるデジタル音声信号をアナログ音声信号に
変換し、それを増幅してスピーカ１４ａに送る。また、マイクロフォン１４ｂが出力する
アナログ音声信号を増幅し、それをデジタル音声信号に変換して送受信部１３へ送信する
。
【００２０】
入力部１５は、複数のキースイッチを備え、制御部１１からの起動信号により、利用者
が操作したキースイッチを識別するコード信号を制御部１１へ通知する。
【００２１】
表示部１６は、例えばＬＣＤの表示部であり、制御部１１より起動されることにより、
表示動作を開始する。入力部１５からの入力信号に応答して、制御部１１より新しい画面
が起動されるまで、同じ表示動作を続ける。
【００２２】
次に、近距離無線通信部１７ｂは、アンテナ１７ａを介して近距離無線通信網３から受
信した近距離無線高周波信号を近距離無線送受信部１８に送信する。また、近距離無線送
受信部１８から出力される高周波信号をアンテナ１７ａを介して近距離無線通信網３に送
信する。ここで、近距離無線通信は、例えばブルートゥース（Ｒ）方式を用いても良いし
、無線ＬＡＮ方式を用いても良い。また、赤外線通信方式を用いても良い。
【００２３】
近距離無線送受信部１８は、近距離無線通信部１７ｂを経由して近距離無線送受信部２
３と通信することにより音声信号を送受信するための近距離無線通信網３上の音声リンク
を確立又は切断し、当該音声リンクを介して近距離無線通信部１７ｂによって受信された
高周波信号を増幅、周波数変換及び復調し、それによって得たデジタル音声信号を送受信
部１３に送信する。更に、着信音１９ａ、または、送受信部１３から出力されるデジタル
音声信号を変調、周波数変換及び増幅し、高周波信号を得て、それを音声リンクを介して
近距離無線通信部１７ｂに送信させる。
【００２４】
更に、近距離無線送受信部１８は、近距離無線通信部１７ｂを経由して近距離無線送受
信部２３と通信することにより制御信号を送受信するための近距離無線通信網３上の制御
リンクを確立又は切断し、当該制御リンクを介して近距離無線通信部１７ｂによって受信
された高周波信号を増幅、周波数変換及び復調し、それによって得た制御信号を制御部１
１に送信する。また、制御部１１から出力される制御信号を変調、周波数変換及び増幅し
、高周波信号を得て、それを制御リンクを介して近距離無線通信部１７ｂに送信させる。
【００２５】
次に、ハンズフリー装置２の各部の動作を、図３を参照して説明する。近距離無線通信
部２２ｂは、アンテナ２２ａを介して近距離無線通信網３から受信した近距離無線高周波
信号を近距離無線送受信部２３に送信する。また、近距離無線送受信部２３から出力され
る高周波信号をアンテナ２２ａに送信する。ここで、近距離無線通信の方式は、近距離無
線通信部１７ｂの説明で説明した通りである。
【００２６】
近距離無線送受信部２３は、近距離無線通信部２２ｂを経由して近距離無線送受信部１
８と通信することにより音声信号を送受信するための近距離無線通信網３上の音声リンク
を確立又は切断し、当該音声リンクを介して近距離無線通信部２２ｂによって受信された
高周波信号を増幅、周波数変換及び復調し、それによって得たデジタル音声信号を通話部
２４ｃに送信する。また、通話部２４ｃから出力されるデジタル音声信号を変調、周波数
変換及び増幅し、高周波信号を得て、それを音声リンクを介して近距離無線通信部２２ｂ
に送信させる。
【００２７】
更に、近距離無線送受信部２３は、近距離無線通信部２２ｂを経由して近距離無線送受
信部１８と通信することにより制御信号を送受信するための近距離無線通信網３上の制御
リンクを確立又は切断し、当該制御リンクを介して近距離無線通信部２２ｂによって受信
された高周波信号を増幅、周波数変換及び復調し、それによって得た制御信号を制御部２
１に送信する。また、制御部２１から出力される制御信号を変調、周波数変換及び増幅し
、高周波信号を得て、それを制御リンクを介して近距離無線通信部２２ｂに送信させる。
【００２８】
通話部２４ｃは、近距離無線送受信部２３から出力されるデジタル音声信号をアナログ
音声信号に変換し、それを増幅してスピーカ２４ａに送る。また、マイクロフォン２４ｂ
が出力するアナログ音声信号を増幅し、それをデジタル音声信号に変換して近距離無線送
受信部２３へ送信する。更には、スピーカ２４ａから発生した音声がマイクロフォン２４
ｂから入力されることによって発生するハウリングを防止するためのエコーキャンセルを
行う。
【００２９】
入力部２５は、複数のキースイッチを備え、制御部２１からの起動信号により、利用者
が操作したキースイッチを識別するコード信号を制御部２１へ通知する。
【００３０】
上記のように構成された、本発明の実施形態に係るハンズフリーシステムの動作を、ま
ず、移動通信端末装置１の制御部１１によるハンズフリー機能の制御動作から説明する。
【００３１】
図４は、移動通信端末装置１の制御部１１による自動着呼の際のハンズフリー機能の制
御動作のフローチャートを示す。ハンズフリー機能の制御動作は、移動通信端末装置１に
電源が投入された時点で動作を開始し（ステップＳ１１ａ）、近距離無線送受信部１８を
制御して、近距離無線送受信部１８とハンズフリー装置２の近距離無線送受信部２３との
間で所定の認証を経て近距離無線通信網３上の制御リンクを確立する操作を行わせる（ス
テップＳ１１ｂ）。
【００３２】
続いて、制御部１１は、送受信部１３から着信があったとの信号を受信し、「着信」を
ハンズフリー装置２の制御部２１に制御リンクを介して通知する（ステップＳ１１ｃ）。
そして、着信音１９ａを移動通信端末装置１からハンズフリー装置２へ送信し、ハンズフ
リー装置２のスピーカ２４ａから出力させるように設定されているか調べる（ステップＳ
１１ｄ）。
【００３３】
送信する設定がされている場合、制御部１１は、近距離無線送受信部１８を制御して、
近距離無線送受信部１８とハンズフリー装置２の近距離無線送受信部２３との間で着信音
１９ａ及び通話音声信号を通信するための近距離無線通信網３の「音声リンクの確立操作
」を行わせ（ステップＳ１１ｅ）、近距離無線送受信部１８を制御して、着信音１９ａを
音声リンクを介して送信させる（ステップＳ１１ｆ）。一方、送信する設定がされていな
い場合、制御部１１は、ステップＳ１１ｅ、Ｓ１１ｆの動作を行わない。
【００３４】
続いて、制御部１１は、所定の時間の経過を待ち（ステップＳ１１ｇ）、その時間内に
利用者による着呼操作が行われない場合、まず、ステップＳ１１ｅで音声リンクが確立さ
れていれば、近距離無線送受信部１８を制御して、その音声リンクを切断させる（ステッ
プＳ１１ｈ、なおこの動作はその前にステップＳ１１ｅの動作が行われていなければ何も
しないのと等価である。）。そして、自動着呼し（ステップＳ１１ｉ）、送受信部１３を
制御して、応答メッセージ１９ｂを発信元の通信装置に対して送信させる（ステップＳ１
１ｊ）。
【００３５】
応答メッセージ１９ｂを発信元の通信装置に対して送信中に、制御部１１は、ハンズフ
リー装置２の制御部２１から音声リンクの確立要求があるかを調べ（ステップＳ１１ｋ）
、音声リンクの確立要求があった場合、近距離無線送受信部１８を制御して、近距離無線
送受信部１８とハンズフリー装置２の近距離無線送受信部２３との間で近距離無線通信網
３上の音声リンクを確立させ（ステップＳ１１ｍ）、ステップＳ１１ｊで行った応答メッ
セージ１９ｂの送信を中止して、ハンズフリー装置２による「ハンズフリー装置による通
話」を行わせる（ステップＳ１１ｎ）。
【００３６】
ここで、ハンズフリー装置２によるハンズフリー通話を行わせるには、制御部１１は、
送受信部１３を制御して、通信部１２ｂからの高周波信号を増幅、周波数変換及び復調し
て得たデジタル音声信号を近距離無線送受信部１８に音声リンクを介して送信させ、また
、音声リンクを介して受信された近距離無線送受信部１８からのデジタル音声信号を変調
、周波数変換及び増幅して高周波信号を得て、それを通信部１２ｂに送信させる。
【００３７】
更に、近距離無線送受信部１８を制御して、音声リンクを介して受信された近距離無線
通信部１７ｂからの高周波信号を増幅、周波数変換及び復調して得たデジタル音声信号を
送受信部１３に送信させ、また、送受信部１３からのデジタル音声信号を変調、周波数変
換及び増幅して高周波信号を得て、それを近距離無線通信部１７ｂに音声リンクを介して
送信させる。
【００３８】
ハンズフリー装置２から通話が終了した旨の通知を受信すると、制御部１１は、ステッ
プＳ１１ｍで確立された音声リンクを近距離無線送受信部１８を制御して切断させ、当該
着呼の処理を修了する（ステップＳ１１ｏ）。なお、制御部１１は制御リンクが確立され
た状態（ステップＳ１１ｂ）に戻る。
【００３９】
一方、ステップＳ１１ｋで音声リンク確立の要求がない場合、制御部１１は、応答メッ
セージ１９ｂを所定の時間送信した後、ステップＳ１１ｉで接続された呼を切断し、制御
リンクが確立された状態（ステップＳ１１ｂ）に戻るが、これに限るものではない。例え
ば、移動通信端末装置１は、受信メッセージ記憶部（図示せず。）を備え、応答メッセー
ジ１９ｂは録音されるメッセージの発話を促すメッセージであり、応答メッセージ１９ｂ
を所定の時間送信した後、送受信部１３によって受信された発信元の通信装置から送信さ
れた音声信号を受信メッセージ記憶部に記憶しても良い。
【００４０】
次に、本発明の実施形態に係るハンズフリーシステムの動作の中で、ハンズフリー装置
２の制御部２１によるハンズフリー機能の制御動作を説明する。
【００４１】
図５は、移動通信端末装置１が自動着呼する際のハンズフリー装置２の制御部２１によ
るハンズフリー機能の制御動作のフローチャートを示す。ハンズフリー機能の制御動作は
、ハンズフリー装置２に電源が投入された時点で動作を開始し（ステップＳ２１ａ）、近
距離無線送受信部２３を制御して、近距離無線送受信部２３と移動通信端末装置１の近距
離無線送受信部１８との間で所定の認証を経て近距離無線通信網３上の制御リンクを確立
する（ステップＳ２１ｂ）。
【００４２】
そして、制御部２１は、移動通信端末装置１の制御部１１から近距離無線通信網３上の
制御リンク経由で受信した通知、又は、入力部２５の所定のキー（図示せず。）を介して
利用者が行った操作を入力して（ステップＳ２１ｃ）、それらの通知又は操作の入力に対
応する処理を行う（ステップＳ２１ｄ）。そして、ステップＳ２１ｃへ戻って処理を繰返
す。
【００４３】
ステップＳ２１ｃで、移動通信端末装置１の制御部１１から受ける通知には、「着信」
と、「音声リンクの確立操作」と、「ハンズフリー装置による通話」とがある。また、利
用者がハンズフリー装置２の入力部２５を介して行う操作として、「着呼」と、「通話終
了」とがある。
【００４４】
制御部２１は、「着信」の通知を受信すると、制御部２１内に記憶されたハンズフリー
装置２の状態を「着信中」に設定して、設定された状態を状態表示部（図示せず。）に表
示する。更に、通話部２４ｃを制御して、制御部２１内に記憶された所定の着信音をスピ
ーカ２４ａから出力させる。また、着信音１９ａを移動通信端末装置１からハンズフリー
装置２へ送信する設定がされている場合、近距離無線送受信部２３を制御して、音声リン
クを介して受信された着信音１９ａをスピーカ２４ａから出力させる。
【００４５】
また、「音声リンクの確立操作」の通知を受信すると、制御部２１は、近距離無線送受
信部２３を制御して、音声リンクを確立させる。
【００４６】
また、「ハンズフリー装置による通話」の通知を受信すると、制御部２１内に記憶され
たハンズフリー装置２の状態を「ハンズフリー通話」に設定して、設定された状態を状態
表示部に表示する。また、ハンズフリー装置２による通話を行わせる。
【００４７】
ハンズフリー装置２による通話を行わせるには、制御部２１は、近距離無線送受信部２
３を制御して、音声リンクを介して受信された近距離無線通信部２２ｂからの高周波信号
を増幅、周波数変換及び復調して得たデジタル音声信号を通話部２４ｃに送信させる。ま
た、通話部２４ｃから出力されるデジタル音声信号を変調、周波数変換及び増幅して高周
波信号を得て、それを近距離無線通信部２２ｂに音声リンクを介して送信させる。
【００４８】
制御部２１は、入力部２５から「着呼」の操作が入力されると、近距離無線送受信部２
３を制御して、近距離無線送受信部２３と移動通信端末装置１の近距離無線送受信部１８
との間で音声リンクを確立する操作を行わせる。また、「通話終了」の操作を入力すると
、制御部２１内に記憶されたハンズフリー装置２の状態を「待ち受け」に設定して、設定
された状態を状態表示部に表示する。更に、近距離無線送受信部２３を制御して、通話は
終了した旨を移動通信端末装置１の制御部１１に対して送信させる。
【００４９】
上記のように構成された、本発明の実施形態に係わるハンズフリーシステムの動作の一
例を説明する。図６は、本発明の実施形態に係わるハンズフリーシステムの動作の一例の
シーケンスを示す図であって、ステップＳ１１ｄで着信音１９ａを送信する設定がされて
いると判断され、かつ、ステップＳ１１ｋでハンズフリー装置２から音声リンク確立の要
求がありと判断された場合の動作のシーケンスを示す。
【００５０】
ハンズフリーシステムは、近距離無線通信網３の制御リンク確立から動作を開始する（
図４のステップＳ１１ｂと、図５のステップＳ２１ｂ）。そして、移動通信端末装置１は
、移動通信網から着信信号を受信し、着信をハンズフリー装置２に通知する（図４のステ
ップＳ１１ｃ）。続いて、音声リンクを確立し（図４のステップＳ１１ｅと、図５のＳ２
１ｃ）、その音声リンクを介して着信音１９ａを送信すると、ハンズフリー装置２は、そ
の着信音１９ａをスピーカ２４ａから出力する（図４のステップＳ１１ｆと、図５のステ
ップＳ２１ｄ）。
【００５１】
その後、所定時間にわたって利用者による着呼操作が行われない場合（図４のステップ
Ｓ１１ｇ）、移動通信端末装置１は、ハンズフリー装置２との間で確立された音声リンク
を切断し（図４のステップ１１ｈと、図５のステップＳ２１ｃ）、続いて、移動通信網か
らの着信に自動着呼する（図４のステップＳ１１ｉ）。そして、発信元の通信装置に対し
て応答メッセージ１９ｂを送信する（図４のステップＳ１１ｊ）。
【００５２】
この応答メッセージ１９ｂの再生中にハンズフリー装置２の入力部２５から着呼操作が
入力されると、ハンズフリー装置２は、音声リンクの確立を行う（図５のステップＳ２１
ｄと、図４のステップＳ１１ｍ）。この音声リンクの確立により、移動通信端末装置１は
、ハンズフリー装置２と発信元の通信装置の間のハンズフリー通話を行わせる（図５のス
テップＳ２１ｄと、図４のステップＳ１１ｎ）。
【００５３】
なお、移動通信端末装置１が応答メッセージ１９ｂの再生を行っているときにハンズフ
リー装置２の着呼操作が行われることにより、応答メッセージの再生を中止して移動通信
端末装置１とハンズフリー装置２との間で音声リンクを形成するように制御している。こ
の制御には、例えばブルートゥースの場合、移動通信端末装置１とハンズフリー装置２と
の間のオーディオパスの切り換え、即ち、通話を移動通信端末装置１とハンズフリー装置
２との間で切り換えるための既定のプロトコルを利用することができる。つまり、移動通
信端末装置１が当該プロトコルを用いてハンズフリー装置２から着呼操作によって発信さ
れた受信を受信すると、応答メッセージ１９ｂの再生を中止してハンズフリー装置2との
間で音声リンクの確立が行われる。
【００５４】
以上の説明では、移動通信端末装置１の制御部１１は、図４のステップＳ１１ｋで、ハ
ンズフリー装置２から音声リンクの確立の要求の有無によって動作を分岐するとしたが、
これに限るものではない。移動通信端末装置１の入力部１５から着呼の操作を入力した場
合、通常通話、即ち、発信元の通信装置と移動通信端末装置１の間の通話を行っても良い
。
【００５５】
通常通話を行うには、移動通信端末装置１の制御部１１は、送受信部１３を制御して、
通信部１２ｂからの高周波信号を増幅、周波数変換及び復調して得たデジタル音声信号を
通話部１４ｃに送信させ、また、通話部１４ｃからのデジタル音声信号を変調、周波数変
換及び増幅して高周波信号を得て、それを通信部１２ｂに送信させる。更に、近距離無線
送受信部１８を制御して、デジタル音声信号の送受信を停止させ、近距離無線通信網３を
経由してハンズフリー装置２の制御部２１に「ハンズフリーモードの設定の解除」を通知
する。
【００５６】
また、ハンズフリー装置２の制御部２１は、制御部１１から「ハンズフリーモードの設
定の解除」の通知を受信すると、近距離無線送受信部２３を制御して、デジタル音声信号
の送受信を停止させる。更に、制御部２１内に記憶されたハンズフリー装置２の状態を「
移動通信端末装置による通話」に設定して、設定された状態を状態表示部に表示する。
【００５７】
以上の説明では、ハンズフリー装置２は、車内に設置されるとしたが、これに限るもの
ではなく、室内に設置されていても良い。本発明は以上の構成に限定されるものではなく
、種々の変形が可能である。
【図面の簡単な説明】
【００５８】
【図１】本発明の実施形態に係るハンズフリーシステムの構成を示すブロック図。
【図２】本発明の実施形態に係る移動通信端末装置の構成を示すブロック図。
【図３】本発明の実施形態に係るハンズフリー装置の構成を示すブロック図。
【図４】本発明の実施形態に係る移動通信端末装置の制御部のハンズフリー機能の制御動作を示すフローチャート。
【図５】本発明の実施形態に係るハンズフリー装置の制御部の制御動作を示すフローチャート。
【図６】本発明の実施形態に係るハンズフリーシステムの動作の一例を示すシーケンス図。
【符号の説明】
【００５９】
１  移動通信端末装置
２  ハンズフリー装置
３  近距離無線通信網
１１  制御部
１２ａ  アンテナ
１２ｂ  通信部
１３  送受信部
１４ａ  スピーカ
１４ｂ  マイクロフォン
１４ｃ  通話部
１５  入力部
１６  表示部
１７ａアンテナ
１７ｂ  近距離無線通信部
１８  近距離無線送受信部
１９  音声データ記憶部
１９ａ  着信音
１９ｂ  応答メッセージ
２１  制御部
２２ａ  アンテナ
２２ｂ  近距離無線通信部
２３  近距離無線送受信部
２４ａ  スピーカ
２４ｂ  マイクロフォン
２４ｃ  通話部
２５  入力部
【図１】
2005303435.tif 000003
【図２】
2005303435.tif 000004
【図３】
2005303435.tif 000005
【図４】
2005303435.tif 000006
【図５】
2005303435.tif 000007
【図６】
2005303435.tif 000008